(57)【特許請求の範囲】
【請求項１】
扉の吊元側上下に各々配置される扉側ピボットと、枠体の吊元側上下に各々配置される枠側ピボットとからなり、上下ピボットの扉側もしくは枠側いずれか片方に軸心を、他方に軸心が水平方向から挿入できる溝と軸保持金具を設け、溝内の所定位置に軸心を挿入してから軸保持金具を被せる動作と共に室外側での軸保持金具の別途固定作業無しで扉を枠体に吊り込むことができる構成のピボットヒンジであって、溝を室外向に開いた略Ｖ字もしくは略Ｕ字形状にて形成してピボットの水平面上に配置し、垂直方向に設けられた軸心が溝内の所定位置に挿入された状態から軸保持金具を溝の方向に対して略直角方向にスライド移動可能に組み付け、軸保持金具の端部を室内側にまで延長して操作部材と連結し、操作部材をスライド移動させることで軸心への被さりを解除する機構か、もしくは軸保持金具に連動部材を装着し、連動部材の端部を室内側にまで延長させて操作部材と連結し、操作部材の移動操作にて軸保持金具をスライド移動させることにより室内側から軸保持金具を移動させて軸心への被さりを解除する機構を設け、軸保持金具の解除状態で扉の吊元側を押し出す動作により上下の扉側ピボットと枠側ピボットを分離させることで吊元側にて扉を開放可能としたことを特徴とする非常脱出機構付きピボットヒンジ。
【請求項２】
扉の吊元側上下に各々配置される扉側ピボットと、枠体の吊元側上下に各々配置される枠側ピボットとからなり、上下ピボットの扉側もしくは枠側いずれか片方に軸心を、他方に軸心が水平方向から挿入できる溝と軸保持金具を設け、溝内の所定位置に軸心を挿入してから軸保持金具を被せる動作と共に室外側での軸保持金具の別途固定作業無しで扉を枠体に吊り込むことができる構成のピボットヒンジであって、溝を室外向に開いた略Ｖ字もしくは略Ｕ字形状にて形成してピボットの水平面上に配置し、垂直方向に設けられた軸心が溝内の所定位置に挿入された状態でピボットの水平面上で軸保持金具が回転して軸心を抱き込み、かつ同時に軸保持金具が戻る方向への回転動作を阻止する手段を有し、さらに連動部材を設けてピボットの軸保持金具近辺に回動自在に装着し、連動部材の片端部に軸保持金具の回転動作の阻止状態を解除する手段を設け、他端部を室内側にまで延長して操作部材に連結し、操作部材の解除側への移動操作により軸保持金具の戻る方向への回転動作を可能とする機構を設け、軸保持金具の解除状態で扉の吊元側を押し出す動作により上下の扉側ピボットと枠側ピボットを分離させることで吊元側にて扉を開放可能としたことを特徴とする非常脱出機構付きピボットヒンジ。
【請求項３】
室内側での操作部材による解除動作にさらにロック機構を併設し、軸保持金具が軸心に被さっている保持位置と解除位置で操作部材をロックできるように構成し、室外側からの軸保持金具の移動解除操作を阻止する構成を有することを特徴とする請求項１または２に記載の非常脱出機構付きピボットヒンジ。
【請求項４】
ピボットヒンジの化粧カバーの取り付け手段において、通常使用時ではピボット本体から外れない程度の力で保持できるように構成し、軸保持金具の解除時の扉の吊元側での押し出し動作の際に一定以上の負荷がかかると化粧カバーが外れるかもしくは破損するようにし、ピボットヒンジの溝から軸心が離脱できるように構成したことを特徴とする請求項１及至３いずれか１項に記載の非常脱出機構付きピボットヒンジ。
【発明の詳細な説明】
【技術分野】
【０００１】
本発明はドアが地震により傾いて扉の戸先部分が枠体に食い込んで開放不能になった祭に、吊元側にて扉を開放可能とする機構を有するピボットヒンジに関するものである。
【背景技術】
【０００２】
従来から玄関ドアの扉の開閉金具としては丁番とピボットヒンジが主に用いられており、外開きの場合は扉を１８０度開放するためにこれらの軸心位置は扉面から室外側に持ち出された状態で配置されていることがほとんどである。また枠体に扉を取り付ける施工順序としては、扉を大きく開けた状態で枠体に外側から吊り込み、扉を閉じた状態では吊り込み部分を外せないようにして外部からの防犯性を確保しているものが多い。
【０００３】
ところが強い地震が発生すると、図１４に示すように枠体３３が押し潰されて平行四辺形に変位し、扉３２の戸先コーナーが枠体３３上下に強く接触してめり込んだ状態になってしまう。すると地震が収束した後であっても室内側から強く押した程度では扉３２を開放することができず、内部の人は室内に完全に閉じ込められることになる。特に近年最も普及している鋼製ドアやアルミ型材のドアは剛性が高く、その傾向は顕著である。また建物の形態においても高層マンションが多くなり、これらの場合においては平屋家屋とは違って勝手口が無く、さらには窓から脱出することもできないため、地震時及び地震後の緊急脱出の問題が重要になってきている。
【０００４】
そこで、扉の戸先位置と枠体との上下左右方向の隙間を大きく取って、地震により少々ドアが傾いても戸先と枠体が接触しないようにした構成の、ドア自体の構造で持って対処する方法が考えられる。しかし同時に気密性の問題やデザイン性も重要であり、あまり極端な隙間は許容されにくく、またこの方法は地震の揺れの程度により効果を有することになり、ドア自体のサイズが大きくなる傾向も手伝って、あまり有効とは考えにくい。このような扉と枠体間に隙間を設ける構成のものは特開平９−１３８３０や特開平９−２７９９５４等に多数報告されている。
【０００５】
また地震時に扉上下面と枠体が接触すると枠体自体に戸先部が食い込む前に上下に移動しながら逃げたり、扉と枠体間に弾性を有する別途部材を挿入しておき、地震時の扉の圧力によってあえて別途部材が潰れるように構成したものも多く、特開平９−１３８２９や特開平９−１８９１７４等に報告されている。さらには扉の内部に一回り小さい扉を内蔵させておき、外側の扉が地震により開放できなくなっても、内側の扉を開放して脱出する構成のものが特開平９−５３３７１や特開２００４−６８２５４に報告されている。しかし両者共に耐震ドア枠として別途の規格になり、施工を含めてコスト面で割り高になると考えられる。
【０００６】
またドアには防犯のための各種ロック装置が扉の戸先面側に装備されており、ドアの閉鎖時には通常錠前のデッドボルトがストライクに挿入され、さらにはドアガード等も施錠されていることが多い。従って上記のようなドア自体に耐震性能を持たせる構成では、地震時に扉の戸先面が縦枠に対して大きく上下動するためこれらのロック装置が解錠不可能になってしまう。その結果全てのロック装置も同時に耐震対応品にする必要が生じる。
【０００７】
次に別の方法としては、丁番等の吊り込み金具に耐震性能を装備させるもので耐震丁番があり、丁番の管内部の軸心上部にバネを挿入し、他方の羽根と共に扉がバネの力により略浮いた状態で保持する構成がある。この構成では地震時に枠体が変位して扉と接触した際にバネを押し下げて扉を上下動可能とし、枠体に戸先部分が食い込まないようすることで耐震性を得るのであるが、対応できる枠体の変位範囲が小さいことが問題として残っている。また丁番自体が長くなり、バネ強度を扉の重量に細かく対応させなければならない点など不備な部分も多く、それらの改良品が特開平９−２０９６４２や特開２００３−６４９３３等に報告されている。
【０００８】
さらには２管丁番の扉側の羽根を大きく曲げ込んで扉の室内面にまで連続させ、室内から操作できる位置でねじにて固定する機構の耐震丁番が特開平９−４３１１に報告されている。この構成は丁番を固定している位置を部屋内から操作できる場所に配置し、非常脱出時にねじを取り外すことにより丁番を分解して扉の吊元側を開放するものである。しかし、室内から丁番が丸見えになりデザイン的に良くないとともに、ドライバー等の工具が必要であり、かつ複数のねじを外す操作は緊急時での対応手段としては適していないと想定される。
【０００９】
ここで、扉の吊り込み金具として最も一般的な丁番においては、扉を約９０度開放した状態で上下方向の吊り込み動作で片方の羽根の軸心に他方の羽根の管部分を差し込む構成が多く、閉じた状態では扉が上枠に当たって持ち上がらないために外せないようになっている。またピボットヒンジにおいても同様の上下方向での動作で吊り込むものもあるが、一般的には特開平８−３０３０９８に開示されているように枠側上ピボットに水平方向のＵ字溝が室外向きに開いた配置で形成されており、その溝に扉側上ピボットの軸心を嵌め込んで室外側から押さえ板にてねじ止めして扉を保持するものが多い。この水平方向から嵌め込む動作では吊り込み操作の簡易化を目的とした構成で、溝に軸心を嵌めると同時に軸心が抜け落ちない程度に仮保持し、その後にねじ固定するものが特開平９−２０３２６１等にも開示されている。
【００１０】
また、さらに吊り込み施工時の簡素化を目的とした本発明者による特開平１０−１０２８７７が有り、枠側上ピボットの溝に水平方向から上部軸心を嵌め込むと同時に完全に軸心を抱き込んで保持する構成が報告されており、したがってこの構成では吊り込み後にねじ等による別途固定手段を必要としないことになる。同様に枠側上ピボットの溝に軸心を嵌め込むと同時に完全に保持できる別の構成が特開２０００−２０４８３０にも報告されている。
【００１１】
特開平１０−１０２８７７はブーメラン形状の軸保持金具が枠側上ピボットに対して水平方向に回転できるように配置されており、枠側上ピボットの溝に扉側上ピボットの軸心が水平方向から挿入されると軸保持金具のブーメラン形状の一方の辺が軸心に押されて回転し、溝内の所定位置にてブーメラン形状の他方の辺が軸心を押さえ込み、同時に自動的に逆方向に戻らないように固定される手段が実施されるようになっている。また解除部材の操作により軸保持金具が逆方向に再度回転できるようにする、軸心の解除手段も備えている。
【００１２】
特開２０００−２０４８３０は扉側上ピボットの溝に対して略直角方向に移動可能な軸保持金具を有しており、軸保持金具が溝に被さっていない状態で扉側上ピボットの軸心を溝内の所定位置に挿入し、軸保持金具を横方向にスライドさせて外側から軸心に被せる構成であり、完全に被さる直前段階で軸保持金具が軸心を押さえ付けるような軌跡が設定されていることで別途固定手段無しでぐらつき無しに軸心を保持する構成になっている。この構成では解除手段は軸保持金具を逆方向にスライドさせることで実施できる。またこれらの構成での下部ピボットの軸心は水平方向からの挿入は用いておらず、上下方向の差し込む動作になっており、全体の吊り込み手順としては枠側下ピボットの軸心に扉を持ち上げてから扉側下ピボットを落とし込む動作で嵌め込み、その後上部軸心を溝に水平方向から嵌め込んで扉を保持する順序になる。
【００１３】
ここで地震により扉の先端部分が枠体に食い込んで開放不可能になった状況にて、特開平９−４３１１に報告されているような丁番もしくはピボットヒンジの装着されている吊元側を開放しようとする発想においては、上下方向に軸心を抜き差しして吊り込む丁番での構成は想定しにくく、それに対してピボットヒンジでの枠側上ピボットの水平方向の溝に軸心が挿入され押さえ板で保持されている構成のほうが室内側からの何らかの操作で押さえ板さえを外すことができればよいことになり、さらには軸保持金具の移動動作のみでがたつきの無い保持が可能であり、ねじ等の別途固定手段を用いない構成が最も吊元側での室内側からの扉と枠体の分離作業に適していると考えられる。
【特許文献１】特開平９−１３８３０
【特許文献２】特開平９−２７９９５４
【特許文献３】特開平９−１３８２９
【特許文献４】特開平９−１８９１７４
【特許文献５】特開平９−５３３７１
【特許文献６】特開平９−２０９６４２
【特許文献７】特開２００３−６４９３３
【特許文献８】特開２００４−６８２５４
【特許文献９】特開平９−４３１１
【特許文献１０】特開平１０−１０２８７７
【特許文献１１】特開２０００−２０４８３０
【発明の開示】
【発明が解決しようとする課題】
【００１４】
本発明は上記問題点を解決するためになされたものであり、ドア自体は耐震のための特別な構成を必要とせず、また錠前等のロック装置も耐震性能を有するものを使用することなく、吊り込み金具にピボットヒンジを用いた構成で、地震後に扉が開放できなくなった段階で室内側からの極簡単な操作で枠側上ピボットと扉側上ピボットを、さらには枠側下ピボットと扉側下ピボットを分離することにより扉の吊元側を開放可能とする非常脱出機構を有するピボットヒンジを提供することを目的とする。
【課題を解決するための手段】
【００１５】
本発明では上記問題点を解決するために次の技術手段を設けた。まず、扉上部に装着される扉側上ピボットと枠体上部に装着される枠側上ピボットとからなる上部ピボットヒンジを設け、どちらか片方に扉の回転軸となる垂直方向の軸心を装着し、他方には略U字形状で水平方向から軸心を挿入可能な溝を設けておく。従って溝の方向は室外側に向けて開口部を形成しておくとよい。そして溝を有する方のピボットに軸心を溝内での所定位置にぐらつき無く保持するための軸保持金具を設けておく。さらに扉下部に装着される扉側下ピボットと枠体下部に装着される枠側下ピボットとからなる下部ピボットヒンジを設け、どちらか片方に扉の回転軸となる垂直方向の軸心を装着し、他方には略U字形状の水平方向から軸心を挿入可能な溝を設けておく。また上部ピボットヒンジと同様に溝の方向は室外側に向けて開口部を形成しておき、溝を有する方のピボットに軸心を溝内での所定位置にぐらつき無く保持するための軸保持金具を設けておく。
【００１６】
そして溝に軸心を挿入した後で軸保持金具を移動させて軸心に被せることで扉を保持する。したがって扉を吊り込んだ状態で軸心が溝から抜けないためにはピボットの溝の軸心よりも外側に軸保持金具を被せて軸心がどのような方向の力に対しても離脱しない構成が必要である。ここで付帯条件として重要なことは、軸保持金具を軸心に被せて溝内の所定の位置にて保持する移動動作が比較的単純な機構であり、さらに室外側でのねじ止めのような別途完全固定手段を必要としないことが挙げられる。例えば通常のピボットヒンジ等では、溝内の所定の位置にぐらつき無しに軸心を回動自在に保持するために、軸心と溝内径とが一定のクリアランスを有した状態で、軸保持金具にて溝の入り口部に室外側からねじ等でふたをして固定保持するような構成のものが多い。しかしこのような構成の場合では、固定されたねじを戻すような複雑な動作は室内側からは難しいと想定され、緊急時には適さない構成になってしまう。そこで溝の外側に軸保持金具を移動させてフタをするだけの単純な構成でそのまま軸心のぐらつきを使用可能な程度に無くせるような機構を用いるとよい。
【００１７】
つまり軸保持金具を溝内の所定の位置の軸心に被せる際の移動機構が重要であり、
その手段の一例としては、軸保持金具を溝に対して略直角方向にスライド移動可能に組み付けておき、軸心を溝内に挿入した後に軸保持金具をスライド移動させて溝の外側から軸心に被せるように移動すると保持状態になり、軸保持金具を逆方向にスライド移動させると解除できる構成が良い。もしくは別の例では軸保持金具がピボットの水平面上で回転して軸心を抱き込む構成であり、かつ同時に軸保持金具が戻る方向への回転動作を阻止する手段をも有し、さらに別途操作により阻止を解除する解除手段を有する構成でも良い。
【００１８】
そして、ドアの室外側に位置する軸保持金具の端部をドアの閉鎖状態においても室内側から手が届く位置にまで長く延長させ、その先端部分に操作部材を連結する。または軸保持金具に連動部材を連結し、連動部材の端部を室内側にまで延長させて操作部材を連結してもよい。このとき途中に枠体の戸当たり部分やガスケット等の気密部材が配置されているが、部分的にこれらの部材に穴を明けて貫通させるか、若しくは軸保持金具の延長部分を曲げ込んでこれらの部材を回避して室内側にまで持ち出してくるとよい。するとドアの閉鎖状態においても操作部材の移動操作にて軸保持金具を室内側から移動させることが可能になる。つまり上記のような保持状態で室外位置での別途ねじ止め等の操作を必要としない構成であれば、地震後に扉が開放不能な状態になっても室内から操作部材を移動させることで軸保持金具を軸心に被さらなくなる方向に移動操作でき、その状態のまま扉の吊元側を外方向に押すと、軸心が溝から外れることになり、扉の吊元側が開放して非常脱出が可能となる。
【００１９】
次に防犯面においては、上記のような軸保持金具が移動可能な構成であれば室外側から無理やり軸保持金具を解除する方向に移動させるとドアの吊元側が開放可能になってしまうことが不備な点として残る。そこで室内側の操作部材周辺にロック部材を設け、ロック部材を排除した段階で初めて操作部材の移動動作による軸保持金具の解除ができるような構成にすると良い。このロック機構は多種に考えられるが特に限定されるものではなく、室外側からの軸保持金具の移動を阻止できるのであればどのようなものを採用しても良い。例えばロック部材と共に操作部材を操作用ケースに組み込んでドアの室内吊元側近辺に配置し、操作用ケース内で横方向に操作部材を移動できるように構成し、通常時はロック部材を操作用ケースの移動スペースに隙間無く納まるように配置してそのままでは操作部材は移動できない状態にて設定し、ロック部材を排除すると操作部材の移動スペースができ、操作部材を移動操作することで軸保持金具の解除が可能になるような簡易なもので十分である。
【００２０】
また当然上下両方のピボットヒンジに非常脱出機構を設けたほうが脱出しやすいため、脱出時には上下に配置されたロック機構を同時に解除する必要が生じ、一人で脱出する場合では上下２ヵ所のロック機構を解除してから扉の吊元側を押し出す作業を実施しなければならない。そこで例えば上記のように操作部材を左右方向にスライド動作して軸保持金具を解除するような構成では、操作部材が解除位置で一旦停止保持する機構を設けておくと良い。すると、上下のロック機構を解除した段階で上下の軸心は離脱可能状態になっており、そのまま両手を使って扉の吊元側を押し出すことができ、さらには体当たりして扉を押すことも可能になりより確実に脱出することができる。
【００２１】
また通常のピボットヒンジは各ピボットに施工最終段階で化粧カバーを被せるのが常であり、この化粧カバーのピボットに対する固定方法も様々である。主なものではステンレス等の金属のカバーをねじで止める方法や、樹脂製の化粧カバーを化粧カバー自体の弾性で嵌め込むもの等が多い。ところが金属製の化粧カバーが完全に固定されていると、軸保持金具解除後の軸心を抜く段階で化粧カバーに軸心が引っ掛かってしまうため良くない。そこで上記の非常脱出機構付きピボットヒンジにおいては、樹脂製の化粧カバーを用い、一定以上の強い力がかかれば外れるか若しくは樹脂部分が割れて離脱するような構成のものがよい。また金属製の化粧カバーを用いるのであれば、取り付けねじを樹脂性にして一定以上の力がかかった場合に樹脂のねじが折れて外れる等の手段を設けておくと良い。
【発明の効果】
【００２２】
ピボットヒンジの軸心を溝内の所定の位置に回転可能に装着し、軸保持金具で軸心が抜けないように保持し、同時に軸保持金具端部を室内位置にまで持ち出して室内からの操作で軸保持金具を溝位置から離脱させることにより両者を解除可能にする構成を設けたことにより、地震後に扉の戸先部分が枠体に押し付けられてめり込んだ状態になり、扉が開放できない状態においても、ピボットヒンジの軸保持金具を解除してピボットを分離させることにより扉の吊元側を開放させて非常脱出することが可能になる。
【００２３】
さらにロック機構を用いることで防犯面での安全性も確保でき、上下両方のピボットヒンジに非常脱出機構を装備しさらに解除状態で保持できるように構成することで、脱出時に両手で押せるだけではなく、体当たりして吊元側を押す等の手段により大きく吊元側を開放できることになり、高齢者や障害者でも簡単に脱出することが可能である。
【００２４】
従来のバネを内蔵させるタイプの耐震丁番やドアと枠体間に一定の隙間を持たせて耐震性能を向上させる方法は耐震性能に限界があり、地震による層間変位が一定以上になった場合は効果が得られないことが問題として残っている。しかし本発明の非常脱出機構付きピボットヒンジにおいては、ドア自体が座屈するような状態で崩壊してしまう以外は扉の吊元側が枠体と接触する可能性は低く、地震の大きさや変位の程度に関わらず非常脱出できる可能性が高く効果が大きい。
【００２５】
本発明の非常脱出機構付きピボットヒンジを用いることにより、ドア自体に耐震性能を組み込む必要が無く、上下枠体に軸保持金具と連結するための僅かな穴や切り欠きを追加するだけで標準のドアに装備可能である。従ってハンドル錠や用心錠等の付属部品も耐震性能を有する特別品を使用することなくコスト面で非常に有利である。また、ピボットヒンジ自体の構成も従来のものに比較して軸保持金具の形状を変更して操作部材を取り付けるのと、ロック機構を装備する程度で大きな変更の必要は無く、全体としてのコスト面で非常に安価に対応することができる。
【発明を実施するための最良の形態】
【００２６】
以下図面に基づいて本発明の非常脱出機構付きピボットヒンジの実施の形態を説明する。図１から図１１は本発明の第一実施形態を示しており、図１は本発明の非常脱出機構付きピボットヒンジをドアに装着した状態での室外側から見た全体斜視図であり、図２は縦断面図であり、図３は室内側から見た吊元側位置下部の斜視図である。図１に示すように本発明のピボットヒンジも従来品と同様に枠側上ピボット１と扉側上ピボット２にて上部ピボットヒンジを構成し、枠側下ピボット３と扉側下ピボット４にて下部ピボットヒンジを構成し、上下枠側ピボットを枠体に取り付け、上下扉側ピボットを扉３２上下に取り付ける。また軸心５は扉側ピボット枠側ピボットのどちらか片方にあらかじめ装着しておき、他方に略Ｕ字もしくは略Ｖ字形状の溝６を形成しておく。この溝６と軸心５の配置に関しては特に限定されるものではないが、第一実施形態では枠側上ピボット１と枠側下ピボット３に溝６を形成する構成にて表記している。そして吊り込み手順としては、上下枠側ピボットの溝６内に扉３２上下に配置された軸心５を挿入して扉３２を枠体３３に嵌め込み、その後軸保持金具７を軸心５が溝６から抜けないように被せて扉３２を吊り込んだ状態で保持する。
【００２７】
ここで本発明の非常脱出機構付きピボットヒンジでは、吊り込み動作後にピボットヒンジの室外側でのねじ止め等の比較的複雑な固定方法を用いない構成が必要条件になる。そこで第一実施形態では、枠側上ピボット１の溝６に対して略直角方向に移動可能な軸保持金具７を設け、扉３２を吊り込む前の軸保持金具７が溝６に被さっていない状態から、扉側上ピボット２の軸心５を溝６の所定位置に挿入し、軸保持金具７を横方向にスライドさせて軸心５に外側から被せると、そのままでぐらつき無しに軸心５を溝６内で保持できる構成を用いたときの非常脱出機構において説明する。
【００２８】
図４は枠側上ピボット１の納まり上面図であり、図５に示す枠側上プレート８と、図６に示す軸保持金具７と、図７に示す連動部材９と、図８に示す脱出操作装置１０から構成されている。図５に示すように枠側上プレート８には室外側に開口部分を向けた略Ｕ字形状の溝６を設けておき、その横位置に微傾斜部分と直線部分を設けた案内用長孔１１を形成し、さらに連動部材用回転軸１２を設けておく。そして図４に示すように溝６はドア面に対して略直角方向に設け、案内用長孔１１は略平行方向に設けておく。このとき案内用長孔１１の微傾斜部分は溝６位置に近づくにつれて極微量のみドア面側に傾くように設定しておく。また連動部材用回転軸１２は枠側上プレート８のなるべく室内側に近い位置に配置しておく。
【００２９】
次に図６に示すように、軸保持金具７は軸抜け止め辺１３とスライドピン用孔１４と連結ピン取り付け孔１５を備えており、図４に示すように枠側上プレート８に乗せたような状態で配置してスライドピン１６を案内用長孔１１に貫通させて両者を組み付ける。すると案内用長孔１１の長さ分だけ軸保持金具７が略直線移動できることになり、その移動範囲を軸保持金具７の軸抜け止め辺１３が完全に溝６から外れる位置から、ほぼ溝６の幅を覆い被せる程度の位置までに設定しておくと良く、前者の位置を解除位置とし、後者の位置を保持位置とする。また第一実施形態ではスライドピン１６を２本用いて同時に案内用長孔１１内に配置し、軸保持金具７が案内用長孔１１内を略直線移動するように構成しており、扉３２を吊り込む際の溝６内に軸心５が挿入された状態から軸保持金具７を保持位置に移動させる動作において、溝６に近いスライドピン１６が案内用長孔１１の微傾斜部分に差し掛かると首を振るような動作で極僅かのみ軸保持金具７の軸抜け止め辺１３が溝６の奥方向に移動し、軸心５を押し込む動作によりがたつき無しに軸心５を溝６内で固定保持する構成になっている。さらに案内用長孔１１はほぼドア面と平行であるため扉３２の荷重は軸保持金具７を戻そうとする方向には全くかからないため、この構成においては枠側上プレート８に対して軸保持金具７を最終固定するためのねじ止め等の別途手段を必要としない。
【００３０】
連動部材９は図７に示すように細長い面材形状であり、連動部材用回転軸取り付け孔１７を中央にして両端に連結ピン取り付け用長孔１８を有している。そして図４に示すように連動部材用回転軸１２にて連動部材９と枠側上プレート８を回動自在に組み付け、片側の連結ピン取り付け用長孔１８と軸保持金具７の連結ピン取り付け孔１５を軸保持金具側連結ピン１９にて連結する。すると他方の連結ピン取り付け用長孔１８は室内側に突出するような配置になる。ここで図２及び図３に示すように扉３２を閉じた状態での室内側から操作可能な吊元側位置に脱出操作装置１０を配置し、操作部材側連結ピン２０にて連動部材９と操作部材２１を連結する。
【００３１】
またドアの上下枠体３３の形状は様々であるが、ピボットヒンジ位置の室内側には戸当たり等が形成されている納まりが一般的である。そこで例えば図２に示すように下枠の戸当たり部分を連動部材９や操作部材側連結ピン２０が貫通できる程度切り欠く等の処置を施し、連動部材９を室内側にまで延長して操作部材側連結ピン２０で操作部材２１と連結するとよい。操作部材２１を有する脱出操作装置１０の構成は連動部材９を介して軸保持金具７を移動させることができればよいだけで特に限定されるものではなく、極端な例では操作部材２１を用いず、連動部材９の室内側端部を直接持って移動操作するようなことも可能である。しかし図３に示すようにドアの室内側の上下コーナーあたりの配置になるため、意匠面や操作の容易さに関しては考慮する必要がある。そこで図８に示すように操作用ケース２２とその内部をスライド移動する操作部材２１と、操作部材２１と連動部材９を連結する操作部材側連結ピン２０からなる脱出操作装置１０を設け、操作用ケース２２を室内吊元側コーナー部に固定しておき、操作用ケース２２に操作部材２１を移動可能に組み込み、操作部材２１と連動部材９を操作部材側連結ピン２０にて下枠内部にて連結するように構成しておくと良い。
【００３２】
図４と図９(ａ)は溝６の所定位置に軸心５が挿入され、その外側に軸保持金具７の軸抜け止め辺１３が被さっている扉３２が吊り込まれた保持位置を示しており、地震によりドアが傾いて戸先側が枠体３３に食い込んで開放不可になった場合でも、室内から図９(ｂ)に示すように操作部材２１を移動させると良く、図９(ｃ)の状態で溝６から軸保持金具７の軸抜け止め辺１３が完全にはずれ、その後の扉３２の吊元側を大きく押し出す動作により軸心５の離脱と共に扉３２を吊元側から開放することが可能になる。
【００３３】
ここで地震時においては気持ちが動転することもあり、また上下2ヵ所とも解除操作を実施しなくてはならないため操作としてはより解りやすく単純な方法であることが重要である。そこで例えば図示はしないが弾性を有する凹凸を操作用ケース２２と操作部材２１に振り分けて設けておき、確実に図９(ｃ)の位置で一旦保持できるような構成を設けておくと良い。すると解除操作のあと手を離して、扉３２の吊元側に体当たりするような脱出開放動作も可能になり、より非常脱出の確率が高くなると想定される。
【００３４】
また外部からの進入に対する防犯性も重要であり、図４に示す構成のみであれば室外側から上下枠側ピボットの軸保持金具７を解除方向に移動させることができてしまう。そこで図８に示すように脱出操作装置１０にさらにロック部材２３を設け、保持位置での操作用ケース２２と操作部材２１との移動スペースにロック部材２３を嵌め込んでおくと良い。すると室外側からは軸保持金具７を移動不可となり、防犯性能も確保することができる。したがってロック部材２３を有する構成では脱出時にまず上下のロック部材２３を外す手間が必要になるため、ロック部材２３の排除方法は図８に示すように抜き取る程度の簡単な方法にしておくと良い。
【００３５】
ここで通常のピボットヒンジでの扉３２の吊り込み動作としては、図２に示すように下部の軸心５が枠側下ピボット３に配置されており、扉側下ピボット４には扉３２の開閉時の荷重を受けながら回転する際の耐久性を確保するためのベアリングや焼結リング等が設けられており、まず下部の軸心５に一旦扉３２を乗せた状態で保持し、その後に扉３２の上部を起こしながら上部の軸心５を枠側上ピボット１の溝６に挿入する手順のものが多い。この吊り込み手順は重いドアを一旦下部のピボットにて支えて、その後に上部を嵌め込むという２段階の動作で施工性において優れている。そこで本発明の非常脱出機構付きピボットヒンジにおいても同様の施工で吊り込みが実施できるように、下部の軸心５を図１０に示すような形状で単独にて設定し、くびれ部分２４をあらかじめ枠側下ピボット３の溝６に挿入し、さらにつば部分２５の外周を軸保持金具７の軸抜け止め辺１３にて保持しておくと良い。すると下部位置での操作部材２１の解除動作により下部の軸心５が扉側下ピボット４と共に離脱することになり、同様に非常脱出が可能となる。
【００３６】
以上では軸保持金具７の移動動作に連動部材９を仲介させて操作部材２１と連結した構成にて説明してきたが特にこの構成に限るものではなく、図１１に示すように連動部材９を用いずに、軸保持金具７の室内側を極端に長く延長させて直接操作部材２１と連結するような構成であっても良い。しかしこの場合では軸保持金具７の軸抜け止め辺１３から操作部材２１までの距離が長くなり、軸保持金具７をスライド移動させるための横方向への操作力が得にくいと想定されるため、軸保持金具７の移動に対するガイド部分２６を追加してやると良い。また、本発明の非常脱出機構付きピボットヒンジでは室内側の脱出操作装置１０が図３に示すように室内側の戸当たり面や床面から突出しているのであるが、この位置は扉３２を９０度開放した状態を示す図１１からも解るように最大開口部分よりも縦枠寄りにのみ配置されており通行上特に問題はない。
【００３７】
次に第二実施形態として、枠側上ピボット１に対して軸保持金具７を水平面上で回転可能なように配置し、扉を吊り込む前の軸保持金具７が溝６に被さっていない状態から扉側上ピボット２の軸心５を溝６の所定位置に挿入する動作で軸保持金具７を回転させて軸心５をぐらつき無しに抱き込むことができ、かつ同時に軸保持金具７の戻る方向への回転動作を阻止でき、さらに阻止を解除するための手段をも有する構成を用いたときの非常脱出機構において説明する。この構成も第一実施形態と同様に吊り込み動作後においてピボットヒンジの室外側でのねじ止め等の比較的複雑な別途固定方法を用いないで良い構成である。
【００３８】
図１２は第二実施形態での枠側上ピボット１の斜視図であり、ブーメラン型の軸保持金具７が枠側上プレート８に対して水平方向に回転できるように配置されており、さらに長孔２７内をバネにより付勢されながら移動する固定ピン２８を設け、この固定ピン２８が連動部材９に装着された構成になっている。そして連動部材９の端部を大きく室内側に持ち出して第一実施形態と同様に操作部材２１に連結しておく。
【００３９】
図１３は枠側上ピボット１の溝６に扉側上ピボット２の軸心５が挿入される動作と、非常脱出時に解除される動作を示す軌跡図である。まず吊り込みの動作としては、図１３(ａ)に示すように軸保持金具７の内辺２９が室外側に向いた状態で軸心５が水平方向から挿入されると、図１３(ｂ)に示すように軸保持金具７のブーメラン形状の一方の内辺２９が軸心５に押されて回転し、同時に軸保持金具７のブーメラン形状の外辺３０が固定ピン２８を押して長孔２７内を移動させ、軸心５が溝６の奥の所定位置に配置された図１３(ｃ)の段階で他方のブーメラン形状の内辺２９が軸心５を外側から押さえ込み、同時に固定ピン２８が軸保持金具７の片方の先端を乗り越えて長孔２７内を戻り、軸心５をがたつき無しに保持すると共に軸保持金具７の開放する方向への動作を自動的に阻止する構成になっている。
【００４０】
そして図１２及び図１３に示すように連動部材９の端部を室内側吊元位置に設けた脱出操作装置１０の操作部材２１に連結しておく。また連動部材９は連動部材用回転軸１２にて枠側上プレート８に装着されており、この連動部材９の回転動作で固定ピン２８が長孔２７内を移動できるように構成しておく。すると非常時に図１３(ｃ)の状態から操作部材２１を移動操作して連動部材９を回転させ、固定ピン２８を長孔２７内の端部に移動させると固定ピン２８とブーメラン形状の軸保持金具７の内辺２９との係止が解除され、図１３(ａ)に示すように扉を離脱させることが可能になる。また第二実施形態においても脱出操作装置１０の構成は特に限定されるものではなく、例えば連動部材９の室内側先端が上下枠体面から飛び出ているだけの構成であっても、その部分を持って回転移動させることで解除操作は実施可能である。
【００４１】
また通常のピボットヒンジは枠側上下ピボット及び扉側上下ピボット各々に施工最終段階で化粧カバー３１を被せるのが常である。この化粧カバー３１を各ピボットに固定する方法は様々で、主なものではステンレス等の金属のカバーをねじで止める方法や、樹脂製の化粧カバー３１を化粧カバー３１自体の弾性で各ピボットに嵌め込むもの等が多い。ところが本発明の非常脱出機構付きピボットヒンジでは前者のように金属製の化粧カバー３１が完全に固定されていると、軸保持金具７を解除した後の軸心５を溝６から抜く段階で化粧カバー３１に軸心５が引っ掛かってしまうため良くない。そこで上記の非常脱出機構付きピボットヒンジにおいては、樹脂製の化粧カバー３１を用い、一定以上の強い力がかかれば外れるか若しくは樹脂部分が割れて離脱するような構成のものがよい。また金属製の化粧カバー３１を用いるのであれば、取り付けねじを樹脂性にして一定以上の力がかかった場合に樹脂のねじが折れて外れる等の手段を設けておくと良い。
【図面の簡単な説明】
【００４２】
【図１】本発明の非常脱出機構付きピボットヒンジの、第一実施形態での室外側の斜視図である。
【図２】本発明の非常脱出機構付きピボットヒンジの、第一実施形態での納まり縦断面図である。
【図３】本発明の非常脱出機構付きピボットヒンジの、第一実施形態での室内側下部の斜視図である。
【図４】本発明の非常脱出機構付きピボットヒンジの、第一実施形態での枠側上ピボットの納まり上面図である。
【図５】本発明の非常脱出機構付きピボットヒンジの、第一実施形態での枠側上プレートの上面図である。
【図６】本発明の非常脱出機構付きピボットヒンジの、第一実施形態での軸保持金具の上面図である。
【図７】本発明の非常脱出機構付きピボットヒンジの、第一実施形態での連動部材の上面図である。
【図８】本発明の非常脱出機構付きピボットヒンジの、第一実施形態での脱出操作装置の斜視図である。
【図９】本発明の非常脱出機構付きピボットヒンジの、第一実施形態での枠側上ピボットの操作部材の移動動作による軸保持金具の解除動作を示す上面軌跡図である。
【図１０】本発明の非常脱出機構付きピボットヒンジの、第一実施形態での下部ピボットヒンジの斜視図である。
【図１１】本発明の非常脱出機構付きピボットヒンジの、第一実施形態での軸保持金具を直接操作部材に連結した構成の上面図である。
【図１２】本発明の非常脱出機構付きピボットヒンジの、第二実施形態での枠側上ピボットの斜視図である。
【図１３】本発明の非常脱出機構付きピボットヒンジの、第二実施形態での枠側上ピボットの操作部材の移動動作による軸保持金具の解除動作を示す上面軌跡図である。
【図１４】地震時に扉の戸先が枠体に接触して、開放不可になる状態の模式図である。
【符号の説明】
【００４３】
１      枠側上ピボット
２      扉側上ピボット
３      枠側下ピボット
４      扉側下ピボット
５      軸心
６      溝
７      軸保持金具
８      枠側上プレート
９      連動部材
１０    脱出操作装置
１１    案内用長孔
１２    連動部材用回転軸
１３    軸抜け止め辺
１４    スライドピン用孔
１５    連結ピン取り付け孔
１６    スライドピン
１７    連動部材用回転軸取り付け孔
１８    連結ピン取り付け用長孔
１９    軸保持金具側連結ピン
２０    操作部材側連結ピン
２１    操作部材
２２    操作用ケース
２３    ロック部材
２４    くびれ部分
２５    つば部分
２６    ガイド部分
２７    長孔
２８    固定ピン
２９    内辺
３０    外辺
３１    化粧カバー
３２    扉
３３    枠体
【図１】
0005110732.tif 000002
【図２】
0005110732.tif 000003
【図３】
0005110732.tif 000004
【図４】
0005110732.tif 000005
【図５】
0005110732.tif 000006
【図６】
0005110732.tif 000007
【図７】
0005110732.tif 000008
【図８】
0005110732.tif 000009
【図９】
0005110732.tif 000010
【図１０】
0005110732.tif 000011
【図１１】
0005110732.tif 000012
【図１２】
0005110732.tif 000013
【図１３】
0005110732.tif 000014
【図１４】
0005110732.tif 000015